(57)【要約】【課題】本発明は、特に、逆光での撮像となる場合においても、光源が映り込むことなく撮像が可能となる撮像方法及び情報処理装置を提供すること。【解決手段】本発明は、少なくとも飛行体の撮影ポイント情報及び撮影方向情報と、飛行体に搭載された撮影装置の撮影画角情報及び撮影角度情報と、撮影ポイント情報に関連する日時情報と、を含む撮影条件情報を取得する情報取得ステップと、撮影ポイント情報及び日時情報または撮影ポイント情報及び予め取得した光源の位置情報に基づき、飛行体に対する光源の位置する方位及び高度を算出する算出ステップと、撮影ポイント情報及び日時情報、撮影方向情報と撮影画角情報または撮影角度情報の少なくとも一方とから導かれる撮影範囲と、光源の位置する方位または高度の少なくとも一方とを比較し、撮影範囲内に前記光源が位置するかどうかを判定する判定ステップと、を含む、ことを特徴とする撮像方法。【選択図】図５
2021124579.tif 000002
【特許請求の範囲】
【請求項１】
対象物を撮像するために飛行体を制御する情報処理装置に接続された飛行体の撮像方法であって、
少なくとも前記飛行体の撮影ポイント情報及び撮影方向情報と、前記飛行体に搭載された撮影装置の撮影画角情報及び撮影角度情報と、前記撮影ポイント情報に関連する日時情報と、を含む撮影条件情報を取得する情報取得ステップと、
前記撮影ポイント情報及び前記日時情報または前記撮影ポイント情報及び予め取得した光源の位置情報に基づき、前記飛行体に対する光源の位置する方位及び高度を算出する算出ステップと、
前記撮影ポイント情報及び前記日時情報、前記撮影方向情報と前記撮影画角情報または撮影角度情報の少なくとも一方とから導かれる撮影範囲と、前記光源の位置する方位または高度の少なくとも一方とを比較し、前記撮影範囲内に前記光源が位置するかどうかを判定する判定ステップと、を含む、
ことを特徴とする撮像方法。
【請求項２】
請求項１に記載の撮像方法であって、
前記判定するステップは、
垂直方向または水平方向の少なくともいずれかの撮影範囲内に前記光源が位置するかどうかを判定する、
ことを特徴とする撮像方法。
【請求項３】
請求項１または２に記載の撮像方法であって、
前記判定ステップにより前記撮影範囲内に前記光源が位置すると判定された場合には、前記情報処理装置はユーザに対して警告を出力する、
ことを特徴とする撮像方法。
【請求項４】
請求項１乃至３に記載の撮像方法であって、
前記判定ステップにより前記撮影範囲内に前記光源が位置すると判定された場合には、前記撮影条件情報の少なくとも一部を変更する撮影条件変更ステップをさらに含む、
ことを特徴とする撮像方法。
【請求項５】
請求項１乃至４に記載の撮像方法であって、
前記光源は、光を発する人工物であり、
前記人工物が光を発するまたは光を発しない時間帯を示す時間帯情報を取得するステップと、
前記日時情報と前記時間帯情報を比較し、前記飛行装置が飛行する時間帯が、前記人工物が光を発するまたは光を発しない時間帯内に含まれるかどうかを判定するステップと、を含む、
ことを特徴とする撮像方法。
【請求項６】
請求項１乃至４に記載の撮像方法であって、
前記光源は、太陽であり、
前記対象物が位置する地域の天候情報を取得するステップと、
前記天候情報に基づき、前記太陽が現れる天気または前記太陽が現れない天気の時間帯を取得するステップと、
前記日時情報と前記時間帯情報を比較し、前記飛行装置が飛行する時間帯が、前記太陽が現れる天気または前記太陽が現れない天気の時間帯内に含まれるかどうかを判定するステップと、を含む、
ことを特徴とする撮像方法。  
【請求項７】
対象物を撮像するために飛行体を制御する情報処理装置であって、
前記情報処理装置は、
少なくとも前記飛行体の撮影ポイント情報及び撮影方向情報と、前記飛行体に搭載された撮影装置の撮影画角情報及び撮影角度情報と、前記撮影ポイント情報に関連する日時情報と、を含む撮影条件情報を取得する情報取得部と、
前記撮影ポイント情報及び前記日時情報または前記撮影ポイント情報及び予め取得した光源の位置情報に基づき、前記飛行体に対する光源の位置する方位及び高度を算出する光源位置算出部と、
前記撮影ポイント情報及び前記日時情報、前記撮影方向情報と、前記撮影画角情報または撮影角度情報の少なくとも一方とから導かれる撮影範囲と、前記光源の位置する方位または高度の少なくとも一方とを比較し、前記撮影範囲内に前記光源が位置するかどうかを判定する判定部と、を含む、
ことを特徴とする情報処理装置。
【発明の詳細な説明】
【技術分野】
【０００１】
本発明は、飛行体の撮像方法及び情報処理装置に関する。
【背景技術】
【０００２】
近年、ドローン（Ｄｒｏｎｅ）や無人航空機（ＵＡＶ：Ｕｎｍａｎｎｅｄ  Ａｅｒｉａｌ  Ｖｅｈｉｃｌｅ）などの飛行体（以下、「飛行体」と総称する）が産業に利用され始めている。こうした中で、特許文献１には、逆光での撮像となる場合には、逆光での撮像とならない位置になるように、無人航空機を飛行させるように制御する撮像方法が開示されている。
【先行技術文献】
【特許文献】
【０００３】
【特許文献１】特開２０１８−０９２２３７号公報
【発明の概要】
【発明が解決しようとする課題】
【０００４】
しかしながら、上記特許文献１の開示技術では、撮像対象の全体像を撮像する場合に、逆光での撮像となる位置側からの撮像ができないため、該全体像を撮像するためには日時を改めて再撮影をするなど、ユーザ側で調整をする負担あった。【０００５】
また、近年、逆光に対するソフトウェア補正技術が進歩しており、逆光であっても撮像できる環境となってきているが、特に撮影範囲内に光源が映り込んでいる場合には、該ソフトウェア補正技術でも対応が難しい状況である。【０００６】
本発明はこのような背景を鑑みてなされたものであり、逆光での撮像となる場合においても、撮影範囲内に光源が位置するかどうかを確認することにより、光源が映り込むことなく撮像が可能となる撮像方法及び情報処理装置を提供することを目的とする。
【課題を解決するための手段】
【０００７】
上記課題を解決するための本発明の主たる発明は、対象物を撮像するために飛行体を制御する情報処理装置に接続された飛行体の撮像方法であって、少なくとも前記飛行体の撮影ポイント情報及び撮影方向情報と、前記飛行体に搭載された撮影装置の撮影画角情報及び撮影角度情報と、前記撮影ポイント情報に関連する日時情報と、を含む撮影条件情報を取得する情報取得ステップと、前記撮影ポイント情報及び前記日時情報または前記撮影ポイント情報及び予め取得した光源の位置情報に基づき、前記飛行体に対する光源の位置する方位及び高度を算出する算出ステップと、前記撮影ポイント情報及び前記日時情報、前記撮影方向情報と前記撮影画角情報または撮影角度情報の少なくとも一方とから導かれる撮影範囲と、前記光源の位置する方位または高度の少なくとも一方とを比較し、前記撮影範囲内に前記光源が位置するかどうかを判定する判定ステップと、を含む、ことを特徴とする撮像方法、である。
【発明の効果】
【０００８】
本発明によれば、特に、逆光での撮像となる場合においても、撮影範囲内に光源が位置するかどうかを確認することにより、光源が映り込むことなく撮像が可能となる撮像方法及び情報処理装置を提供することができる。
【図面の簡単な説明】
【０００９】
【図１】本発明の実施の形態にかかる管理システムの構成を示す図である。
【図２】図１の管理サーバのハードウェア構成を示すブロック図である。
【図３】図１のユーザ端末のハードウェア構成を示すブロック図である。
【図４】図１の飛行体のハードウェア構成を示すブロック図である。
【図５】図１の管理サーバの機能を示すブロック図である。
【図６】図５のパラメータ情報記憶部の構造を示すブロック図である。
【図７】本発明の実施の形態にかかる撮像方法のフローチャートである。
【図８】本発明の実施の形態にかかる撮影範囲の一例を示す図である。
【図９】本発明の実施の形態にかかる撮影範囲の一例を示す図である。
【図１０】本発明の実施の形態にかかる撮影範囲の一例を示す図である。
【図１１】本発明の実施の形態にかかる撮影範囲の一例を示す図である。
【図１２】本発明の実施の形態にかかる撮影範囲の一例を示す図である。
【図１３】本発明の実施の形態にかかる撮影範囲の一例を示す図である。
【発明を実施するための形態】
【００１０】
本発明の実施形態の内容を列記して説明する。本発明の実施の形態によるフライト管理サーバ及びフライト管理システムは、以下のような構成を備える。
［項目１］
対象物を撮像するために飛行体を制御する情報処理装置に接続された飛行体の撮像方法であって、
少なくとも前記飛行体の撮影ポイント情報及び撮影方向情報と、前記飛行体に搭載された撮影装置の撮影画角情報及び撮影角度情報と、前記撮影ポイント情報に関連する日時情報と、を含む撮影条件情報を取得する情報取得ステップと、
前記撮影ポイント情報及び前記日時情報または前記撮影ポイント情報及び予め取得した光源の位置情報に基づき、前記飛行体に対する光源の位置する方位及び高度を算出する算出ステップと、
前記撮影ポイント情報及び前記日時情報、前記撮影方向情報と前記撮影画角情報または撮影角度情報の少なくとも一方とから導かれる撮影範囲と、前記光源の位置する方位または高度の少なくとも一方とを比較し、前記撮影範囲内に前記光源が位置するかどうかを判定する判定ステップと、を含む、
ことを特徴とする撮像方法。
［項目２］
項目１に記載の撮像方法であって、
前記判定するステップは、
垂直方向または水平方向の少なくともいずれかの撮影範囲内に前記光源が位置するかどうかを判定する、
ことを特徴とする撮像方法。
［項目３］
項目１または２に記載の撮像方法であって、
前記判定ステップにより前記撮影範囲内に前記光源が位置すると判定された場合には、前記管理サーバはユーザに対して警告を出力する、
ことを特徴とする撮像方法。
［項目４］
項目１乃至３に記載の撮像方法であって、
前記判定ステップにより前記撮影範囲内に前記光源が位置すると判定された場合には、前記撮影条件情報の少なくとも一部を変更する撮影条件変更ステップをさらに含む、
ことを特徴とする撮像方法。
［項目５］
項目１乃至４に記載の撮像方法であって、
前記光源は、光を発する人工物であり、
前記人工物が光を発するまたは光を発しない時間帯を示す時間帯情報を取得するステップと、
前記日時情報と前記時間帯情報を比較し、前記飛行装置が飛行する時間帯が、前記人工物が光を発するまたは光を発しない時間帯内に含まれるかどうかを判定するステップと、を含む、
ことを特徴とする撮像方法。
［項目６］
項目１乃至４に記載の撮像方法であって、
前記光源は、太陽であり、
前記対象物が位置する地域の天候情報を取得するステップと、
前記天候情報に基づき、前記太陽が現れる天気または前記太陽が現れない天気の時間帯を取得するステップと、
前記日時情報と前記時間帯情報を比較し、前記飛行装置が飛行する時間帯が、前記太陽が現れる天気または前記太陽が現れない天気の時間帯内に含まれるかどうかを判定するステップと、を含む、
ことを特徴とする撮像方法。  
［項目７］
対象物を撮像するために飛行体を制御する情報処理装置であって、
前記情報処理装置は、
少なくとも前記飛行体の撮影ポイント情報及び撮影方向情報と、前記飛行体に搭載された撮影装置の撮影画角情報及び撮影角度情報と、前記撮影ポイント情報に関連する日時情報と、を含む撮影条件情報を取得する情報取得部と、
前記撮影ポイント情報及び前記日時情報または予め取得した光源の位置情報に基づき、前記飛行体に対する光源の位置する方位及び高度を算出する算出部と、
前記撮影ポイント情報及び前記日時情報、前記撮影方向情報と、前記撮影画角情報及び撮影角度情報の少なくとも一方とから導かれる撮影範囲と、前記光源のする方位または高度の少なくとも一方とを比較し、前記撮影範囲内に前記光源が位置するかどうかを判定する判定部と、を含む、
ことを特徴とする情報処理装置。
【００１１】
＜実施の形態の詳細＞
以下、本発明の実施の形態による飛行体の撮像方法及び情報処理装置についての実施の形態を説明する。添付図面において、同一または類似の要素には同一または類似の参照符号及び名称が付され、各実施形態の説明において同一または類似の要素に関する重複する説明は省略することがある。また、各実施形態で示される特徴は、互いに矛盾しない限り他の実施形態にも適用可能である。
【００１２】
＜構成＞
図１に示されるように、本実施の形態における管理システムは、管理サーバ１と、一以上のユーザ端末２と、一以上の飛行体４と、一以上の飛行体格納装置５とを有している。管理サーバ１と、ユーザ端末２と、飛行体４と、飛行体格納装置５は、ネットワークを介して互いに通信可能に接続されている。なお、図示された構成は一例であり、これに限らず、例えば、飛行体格納装置５を有さずに、ユーザにより持ち運びされる構成などでもよい。
【００１３】
＜管理サーバ１＞
図２は、管理サーバ１のハードウェア構成を示す図である。なお、図示された構成は一例であり、これ以外の構成を有していてもよい。
【００１４】
図示されるように、管理サーバ１は、複数のユーザ端末２と、飛行体４、飛行体格納装置５と接続され本システムの一部を構成する。管理サーバ１は、例えばワークステーションやパーソナルコンピュータのような汎用コンピュータとしてもよいし、或いはクラウド・コンピューティングによって論理的に実現されてもよい。
【００１５】
管理サーバ１は、少なくとも、プロセッサ１０、メモリ１１、ストレージ１２、送受信部１３、入出力部１４等を備え、これらはバス１５を通じて相互に電気的に接続される。
【００１６】
プロセッサ１０は、管理サーバ１全体の動作を制御し、各要素間におけるデータの送受信の制御、及びアプリケーションの実行及び認証処理に必要な情報処理等を行う演算装置である。例えばプロセッサ１０はＣＰＵ（Ｃｅｎｔｒａｌ  Ｐｒｏｃｅｓｓｉｎｇ  Ｕｎｉｔ）および／またはＧＰＵ（Ｇｒａｐｈｉｃｓ  Ｐｒｏｃｅｓｓｉｎｇ  Ｕｎｉｔ）であり、ストレージ１２に格納されメモリ１１に展開された本システムのためのプログラム等を実行して各情報処理を実施する。
【００１７】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ  ／  Ｏｕｔｐｕｔ  Ｓｙｓｔｅｍ）、及び各種設定情報等を格納する。
【００１８】
ストレージ１２は、アプリケーション・プログラム等の各種プログラムを格納する。各処理に用いられるデータを格納したデータベースがストレージ１２に構築されていてもよい。
【００１９】
送受信部１３は、管理サーバ１をネットワークおよびブロックチェーンネットワークに接続する。なお、送受信部１３は、Ｂｌｕｅｔｏｏｔｈ（登録商標）及びＢＬＥ（Ｂｌｕｅｔｏｏｔｈ  Ｌｏｗ  Ｅｎｅｒｇｙ）の近距離通信インターフェースを備えていてもよい。
【００２０】
入出力部１４は、キーボード・マウス類等の情報入力機器、及びディスプレイ等の出力機器である。
【００２１】
バス１５は、上記各要素に共通に接続され、例えば、アドレス信号、データ信号及び各種制御信号を伝達する。
【００２２】
＜ユーザ端末２＞
図３に示されるユーザ端末２もまた、プロセッサ２０、メモリ２１、ストレージ２２、送受信部２３、入出力部２４等を備え、これらはバス２５を通じて相互に電気的に接続される。各要素の機能は、上述した管理サーバ１と同様に構成することが可能であることから、各要素の詳細な説明は省略する。
【００２３】
＜飛行体４＞
図４は、飛行体４のハードウェア構成を示すブロック図である。フライトコントローラ４１は、プログラマブルプロセッサ（例えば、中央演算処理装置（ＣＰＵ））などの１つ以上のプロセッサを有することができる。
【００２４】
また、フライトコントローラ４１は、メモリ４１１を有しており、当該メモリにアクセス可能である。メモリ４１１は、１つ以上のステップを行うためにフライトコントローラが実行可能であるロジック、コード、および／またはプログラム命令を記憶している。また、フライトコントローラ４１は、慣性センサ（加速度センサ、ジャイロセンサ）、ＧＰＳセンサ、近接センサ（例えば、ライダー）等のセンサ類４１２を含みうる。
【００２５】
メモリ４１１は、例えば、ＳＤカードやランダムアクセスメモリ（ＲＡＭ）などの分離可能な媒体または外部の記憶装置を含んでいてもよい。カメラ／センサ類４２から取得したデータは、メモリ４１１に直接に伝達されかつ記憶されてもよい。例えば、カメラ等で撮影した静止画・動画データが内蔵メモリ又は外部メモリに記録されてもよいが、これに限らず、カメラ／センサ４２または内蔵メモリからネットワークＮＷを介して、少なくとも管理サーバ１やユーザ端末２、飛行体格納装置５のいずれかに記録されてもよい。カメラ４２は飛行体４にジンバル４３を介して設置される。
【００２６】
フライトコントローラ４１は、飛行体の状態を制御するように構成された図示しない制御モジュールを含んでいる。例えば、制御モジュールは、６自由度（並進運動ｘ、ｙ及びｚ、並びに回転運動θｘ、θｙ及びθｚ）を有する飛行体の空間的配置、速度、および／または加速度を調整するために、ＥＳＣ４４（Ｅｌｅｃｔｒｉｃ  Ｓｐｅｅｄ  Ｃｏｎｔｒｏｌｌｅｒ）を経由して飛行体の推進機構（モータ４５等）を制御する。バッテリー４８から給電されるモータ４５によりプロペラ４６が回転することで飛行体の揚力を生じさせる。制御モジュールは、搭載部、センサ類の状態のうちの１つ以上を制御することができる。
【００２７】
フライトコントローラ４１は、１つ以上の外部のデバイス（例えば、送受信機（プロポ）４９、端末、表示装置、または他の遠隔の制御器）からのデータを送信および／または受け取るように構成された送受信部４７と通信可能である。送受信機４９は、有線通信または無線通信などの任意の適当な通信手段を使用することができる。
【００２８】
例えば、送受信部４７は、ローカルエリアネットワーク（ＬＡＮ）、ワイドエリアネットワーク（ＷＡＮ）、赤外線、無線、ＷｉＦｉ、ポイントツーポイント（Ｐ２Ｐ）ネットワーク、電気通信ネットワーク、クラウド通信などのうちの１つ以上を利用することができる。
【００２９】
送受信部４７は、センサ類４２で取得したデータ、フライトコントローラ４１が生成した処理結果、所定の制御データ、端末または遠隔の制御器からのユーザコマンドなどのうちの１つ以上を送信および／または受け取ることができる。
【００３０】
本実施の形態によるセンサ類４２は、慣性センサ（加速度センサ、ジャイロセンサ）、ＧＰＳセンサ、近接センサ（例えば、ライダー）、またはビジョン／イメージセンサ（例えば、カメラ）を含み得る。
【００３１】
＜管理サーバの機能＞
図５は、管理サーバ１に実装される機能を例示したブロック図である。本実施の形態においては、管理サーバ１は、通信部１１０、フライトミッション生成部１２０、情報取得部１３０、光源位置算出部１４０、判定部１５０、記憶部１６０、レポート生成部１７０を備えている。フライトミッション生成部１２０は、飛行経路生成部１２１を含む。また、記憶部１６０は、飛行経路情報記憶部１６２、フライトログ記憶部１６４、撮影条件パラメータ記憶部１６６を含む。なお、記憶部１６０は、撮像を行うために必要な情報を記憶する記憶部をさらに有していてもよく、例えば、飛行条件に関する情報（例えば、飛行速度やウェイポイント間隔など）や、撮影対象物に関する情報（例えば、位置座標や高さ情報など）、対象物の周辺環境に関する情報（例えば、地形や周辺の構造物に関する情報）を記憶する記憶部（不図示）をそれぞれ有していてもよい。
【００３２】
通信部１１０は、ユーザ端末２や、飛行体４、飛行体格納装置５と通信を行う。通信部１１０は、ユーザ端末２から、フライト依頼を受け付ける受付部としても機能する。
【００３３】
フライトミッション生成部１２０は、フライトミッションを生成する。フライトミッションは、少なくとも撮影ポイント（いわゆる、ウェイポイントであり、例えば緯度経度情報及び飛行高度情報を含む）情報及び撮影方向情報、撮影日時情報を含む飛行経路を含む情報である。飛行経路の設定は既知の方法で行われてもよく、例えば、手動で撮影ポイント及び撮影方向を設定されたものを参照したり、撮像対象物の位置座標と撮像対象物からの撮影距離を設定するなどして自動で撮影ポイント及び撮影方向を算出して設定したりしてもよい。
【００３４】
なお、飛行経路は、例えば、飛行体格納装置５を有さずに、ユーザにより機体を持ち運びされた位置を飛行開始位置としたり、飛行終了位置においてユーザが機体を回収したりする構成などでもよいし、管理サーバ１により管理された飛行体格納装置５の情報（例えば、位置情報や格納状態情報、格納機体情報など）を基に、飛行開始位置、途中経由地または飛行終了位置として選択された飛行体格納装置５の位置も含めた飛行経路として生成される構成でもよい。
【００３５】
情報取得部１３０は、飛行体の撮影条件情報を取得する。ここでいう撮影条件情報の取得とは、少なくとも飛行経路情報及び日時情報、撮影画角情報及び撮影角度情報を含む撮影条件パラメータの取得である。その他の撮影条件パラメータについても、例えば、記憶部１６０に予め記憶されたデフォルト値を取得したり、撮影対象物の大きさなどに合わせて自動で算出されて取得されるようにしてもよい。
【００３６】
光源位置算出部１４０は、例えば、撮影ポイント情報及び撮影日時情報に基づき、飛行体に対する光源の位置する方位及び高度位置（以下、光源位置と称する）を算出する。この算出方法は、例えば、光源が太陽である場合には、既知の方法により太陽高度及び方位（以下、「太陽の位置」と称する）を算出可能である。より具体的には、例えば太陽の位置を求めるための既知の数式に日時と緯度経度を代入することにより太陽の位置が算出可能であるため、この既知の太陽位置算出方法により直接算出したり、当該算出結果をテーブル化して対応関係を記録した太陽位置データテーブル（不図示）を用いるなどすることにより算出可能である。したがって、上述の撮影条件情報（特に飛行経路上の撮影ポイント情報と撮影日時情報）と上述の太陽位置算出方法または太陽位置データテーブルを用いることにより、撮影ポイントに対する太陽の位置情報を算出することが可能である。
【００３７】
また、光源位置算出部１４０は、例えば、撮影ポイント情報と予め取得した光源の位置情報とに基づき、飛行体に対する光源位置を算出する。例えば光源が光を発する人工物（例えば、照明など）である場合には、その光を発する位置を記憶した情報（例えば、緯度経度情報や高さ位置情報など）により当該人工物の光源の位置情報を取得することが可能であり、その光源の位置情報と撮影ポイント情報との相対関係から、撮影ポイントに対する光源の位置情報を算出することが可能である。
【００３８】
判定部１５０は、撮影範囲内に光源が入るかどうかを判定する。この判定は、撮影条件情報（特に飛行経路上の撮影ポイント情報及び撮影方向情報、撮影画角及び撮影角度に関する情報）と、上述の光源の位置情報を比較することにより、撮影ポイントからの撮影範囲内に光源が位置するかどうか判定が可能である。より具体的な判定方法の例としては、水平方向に対しては、撮影ポイントからの撮影方向を中心とする水平方向の撮影画角により形成される撮影範囲内に 、光源の位置する方位が含まれるかを比較して判定する。また、垂直方向に対しては、撮影ポイントからの撮影角度を中心とする垂直方向の撮影画角により形成される撮影範囲内に、光源の位置する高度が含まれるかを比較して判定する。
【００３９】
飛行経路情報記憶部１６２は、フライトミッション生成部１２０で生成された飛行体の撮影ポイント情報及び撮影方向情報、撮影日時情報を記憶している。フライトログ記憶部１６４は、例えば、フライトミッションにて設定された飛行経路上にて、飛行体４により取得された情報（例えば、離陸から着陸までに経由した位置の情報、静止画像、動画像、音声その他の情報）を記憶している。
【００４０】
撮影条件パラメータ記憶部１６６は、図６に示すように、撮影画角情報記憶部１６６１、撮影角度情報記憶部１６６２、光源位置情報記憶部１６６３を少なくとも含む。
【００４１】
レポート生成部１７０は、フライトログ記憶部１６４に基づいて、ユーザ端末２に表示されるレポート情報を生成する。
【００４２】
＜撮像方法の一例＞
図７−１３を参照して、本実施形態にかかる撮像方法について説明する。図７には、本実施形態にかかる撮像方法のフローチャートが例示されている。このフローチャートでは、例示的にユーザ端末２上でアプリケーションを起動する構成を示しているが、これに限らず、例えば管理サーバ１や飛行体格納装置５がアプリケーションを起動可能なプロセッサと入出力装置を有し、各種設定等が可能な構成であってもよい。なお、図８−１３は、本発明の実施の形態にかかる撮像方法における撮影範囲について説明する例である。
【００４３】
まず、情報取得部１３０により記憶部１６０から飛行体の撮影条件情報を取得する（ＳＱ１０１）。ここでいう撮影条件情報の取得とは、少なくとも飛行経路情報及び日時情報、撮影画角情報及び撮影角度情報を含む撮影条件パラメータの取得である。その他の撮影条件パラメータについても、例えば、予めデフォルト値を取得したり、撮影対象物の大きさなどに合わせて自動で取得されるようにしてもよい。
【００４４】
なお、撮影対象物は、本例においては鉄塔である場合を図示して説明するが、これに限らず、カメラ４２で撮影可能な物であればどのようなものであってもよく、例えば高層マンション、家、煙突、アンテナ塔、灯台、風車、樹木、観音像等の造形物、さらには人や動物などの生き物や火事等の煙などであってもよい。
【００４５】
次に、管理サーバ１は、光源位置算出部１４０により光源の位置情報を算出する（ＳＱ１０２）。なお、光源は、自ら光を発する光源（例えば、太陽や月、照明など）に限らず、他のものから発された光を反射することにより生成された光源（例えば、ガラスや窓に反射した光など）も含まれる。
【００４６】
次に、管理サーバ１は、判定部１５０により撮影範囲内に光源が入るかどうかを判定する（ＳＱ１０３）。ここで、撮影ポイントからの撮影範囲内に光源が位置しないと判定された場合には、飛行体は当該撮影条件情報に基づきフライトを開始する（ＳＱ１０４）。
【００４７】
例えば、図８及び図９に例示されるような位置関係の場合、撮影範囲内に光源が位置しないと判定されるように判定してもよい。すなわち、図９に例示されるように水平方向の撮影範囲内に光源が含まれたとしても、図８に例示されるように垂直方向の撮影範囲内に光源が含まれなければ、撮影範囲内に光源が位置しないと判定されてもよい。
【００４８】
例えば、図８のような位置関係に代えて、図１０に例示されるような位置関係の場合においても、撮影範囲内に光源が位置しないと判定されてもよい。
【００４９】
例えば、図１１及び図１２に例示されるような位置関係の場合、撮影範囲内に光源が位置しないと判定されてもよい。すなわち、図１１に例示されるように垂直方向の撮影範囲内に光源が含まれたとしても、図１２に例示されるように水平方向の撮影範囲内に光源が含まれなければ、撮影範囲内に光源が位置しないと判定されてもよい。
【００５０】
また、例えば、図示しないが、垂直方向及び水平方向の撮影範囲内に光源が含まれなければ、撮影範囲内に光源が位置しないと判定されてもよい。
【００５１】
次に、ＳＱ１０３にて撮影ポイントからの撮影範囲内に光源が位置すると判定された場合には、撮影条件情報の少なくとも一部を変更する（ＳＱ１０５）。
【００５２】
ここで、撮影条件情報の変更は、撮影ポイントからの撮影範囲内に光源が位置しないと判定されるようになるのであれば、いずれの撮影条件情報を変更して対応してもよい。
【００５３】
例えば、変更する撮影条件情報の１つは、撮影角度であり得る。すなわち、例えば図１１のように上方から下方に向けて対象物を撮影する際に撮影範囲内に光源が位置する場合には、撮影角度を下向きではなく上向きに変更することにより、例えば図１０のような撮影条件と変更されることで対応され得る。この時、飛行経路の進行方向も上方から下方に代えて、下方から上方となるように併せて変更してもよい。反対に、光源が上方にあり、図１０のような撮影条件において撮影範囲内に光源が位置する場合には、図８のような撮影角度に変更することで対応され得る。
【００５４】
また、光源が上方にある場合において、図８のような撮影角度だと撮影範囲内に光源が位置することもあり得るが、その場合は撮影角度の変更に加えて、撮影高度も併せて変更することで、図１３に記載されるように撮影範囲内に光源が位置しないように撮影条件を変更することも可能である。
【００５５】
例えば、変更する撮影条件情報の１つは、撮影ポイント及び撮影方向であり得る。すなわち、例えば図９のような位置関係では撮影範囲内に光源が位置するが、例えば図１２のように撮影ポイント及び撮影方向を変更することで、撮影範囲内に光源が位置しないように撮影条件を変更することも可能である。この時、機体の撮影方向の変更に代えて、撮影装置の撮影角度を変更することで対応してもよい。
【００５６】
例えば、変更する撮影条件情報の１つは、撮影する日時であり得る。すなわち、例えば、設定された日時だと光源が図１１のような位置にあるが、撮影する日時を変更することにより光源が図８のような位置になるため、その他の撮影条件を変更することなく対応することも可能である。
【００５７】
また、光源が光を発する人工物である場合には、例えば人工物が光を発するまたは光を発しない時間帯情報を記憶部１６０に記憶しておくことにより、日時情報と時間帯情報を比較することで設定された日時だと光源が光を発するまたは光を発しない時間帯であることも判定できるので、光源が光を発しない時間帯に撮影する日時を変更することで、光源が両撮影範囲内に位置していても撮影可能に設定してもよい。
【００５８】
さらに、光源が太陽である場合には、例えば対象物が位置する地域の天候情報を管理サーバ１内またはネットワークから取得することにより、設定された日時だと太陽が現れる天気または前記太陽が現れない天気の時間帯であることを判定し、撮影する日時を例えば太陽が現れない曇りの日時に変更することで、光源が両撮影範囲内に位置していても撮影可能に設定してもよい。
【００５９】
次に、飛行体がフライト中に取得した情報（例えば、撮影画像など）を利用して、レポートを出力する（ＳＱ１０６）。
【００６０】
なお、図示していないが、ＳＱ１０３の確認ステップの後に、管理サーバが撮影範囲内に光源が位置する旨の警告をユーザに対して出力するようにしてもよい。そして、警告に応じて、ユーザは、フライト自体を中止するステップへ進むのか、撮影条件を変更するステップに進むのか、さらには何れの撮影条件を変更するのかなどを選択することが可能にしてもよい。これにより、ユーザがフライトプランを柔軟に設定することが可能になる。
【００６１】
また、上述の実施の形態においては、情報処理装置としての管理サーバ１により当該撮像方法のための処理を実行しているが、これに代えて、飛行体４自体に搭載された情報処理装置や、飛行体格納装置５に搭載された情報処理装置により、上述の処理を実行するように構成をなしてもよい。
【００６２】
さらに、本例では対象物が鉄塔のように、隙間などにより対象物の一方側から他方側に位置する光源が見える対象物の場合について説明しているが、対象物が例えば、高層マンションのように他方側に位置する光源が隠れる対象物の場合については、例えば対象物の幅情報や高さ情報などに基づき設定される、撮影ポイントからの撮影方向または撮影角度を中心とする所定角度範囲内に、光源が位置するか判定することにより、光源が両撮影範囲内に位置していても撮影可能に設定してもよい。
【００６３】
このように、特に逆光での撮像となる場合においても、撮影範囲内に光源が位置するかどうかを確認することにより、光源が映り込むことなく撮像が可能となる。
【００６４】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００６５】
１        管理サーバ
２        ユーザ端末
４        飛行体
【図１】
2021124579.tif 000003
【図２】
2021124579.tif 000004
【図３】
2021124579.tif 000005
【図４】
2021124579.tif 000006
【図５】
2021124579.tif 000007
【図６】
2021124579.tif 000008
【図７】
2021124579.tif 000009
【図８】
2021124579.tif 000010
【図９】
2021124579.tif 000011
【図１０】
2021124579.tif 000012
【図１１】
2021124579.tif 000013
【図１２】
2021124579.tif 000014
【図１３】
2021124579.tif 000015
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
所定位置から所定の撮影範囲を撮像するために情報処理装置により飛行体を制御する撮像方法であって、
前記情報処理装置の判定部により、前記所定の撮影範囲内の水平方向の範囲内及び垂直方向の範囲内に光源が位置するか判定をする判定ステップを含み、
前記判定ステップにおいて、前記水平方向の範囲内に光源が含まれると判定される場合であっても、前記垂直方向の範囲内に光源が含まれないと判定された場合には、前記所定位置から撮像するように飛行体を制御する制御ステップと、を含む、
ことを特徴とする撮像方法。
【請求項２】
請求項１に記載の撮像方法であって、
前記判定ステップにおいて、前記水平方向及び垂直方向の範囲内に前記光源が位置すると判定された場合には、撮影条件情報の少なくとも一部を変更する撮影条件変更ステップをさらに含む、
ことを特徴とする撮像方法。
【請求項３】
請求項１または２に記載の撮像方法であって、
前記判定ステップにおいて、前記水平方向及び垂直方向の範囲内に前記光源が位置すると判定された場合には、前記情報処理装置はユーザに対して警告を出力する、
ことを特徴とする撮像方法。
【請求項４】
請求項１乃至３のいずれかに記載の撮像方法であって、
前記光源は、光を発する人工物であり、
前記判定ステップは、
前記人工物が光を発するまたは光を発しない時間帯を示す時間帯情報を取得するステップと、
前記時間帯情報に基づき、前記飛行体が飛行する時間帯が、前記人工物が光を発するまたは光を発しない時間帯内に含まれるかどうかを判定する光判定ステップと、を含む、
ことを特徴とする撮像方法。
【請求項５】
請求項１乃至４のいずれかに記載の撮像方法であって、
前記光源は、太陽であり、
前記判定ステップは、
前記対象物が位置する地域の天候情報を取得するステップと、
前記天候情報に基づき、前記太陽が現れる天気または前記太陽が現れない天気の時間帯を取得するステップと、
前記時間帯情報に基づき、前記飛行体が飛行する時間帯が、前記太陽が現れる天気または前記太陽が現れない天気の時間帯内に含まれるかどうかを判定する太陽判定ステップと、を含む、
ことを特徴とする撮像方法。
【請求項６】
所定位置から所定の撮影範囲を撮像するために飛行体を制御する情報処理装置であって、
前記情報処理装置は、
前記所定の撮影範囲内の水平方向の範囲内及び垂直方向の範囲内に光源が位置するか判定する判定部を備え、
前記判定部により、前記水平方向の範囲内に光源が含まれると判定される場合であっても、前記垂直方向の範囲内に光源が含まれないと判定された場合には、前記所定位置から撮像するように飛行体を制御する、
ことを特徴とする情報処理装置。
【請求項７】
所定位置から所定の撮影範囲を撮像するために飛行体を制御する情報処理装置用のプログラムであって、
前記情報処理装置を、
前記所定の撮影範囲内の水平方向の範囲内及び垂直方向の範囲内に光源が位置するか判定する判定部として機能させるプログラムであって、
前記判定部により、前記水平方向の範囲内に光源が含まれると判定される場合であっても、前記垂直方向の範囲内に光源が含まれないと判定された場合には、前記所定位置から撮像するように飛行体を制御する、
ことを特徴とするプログラム。
【請求項８】
所定位置から所定の撮影範囲を撮像するために情報処理装置により制御される飛行体であって、
前記情報処理装置の判定部により前記所定の撮影範囲内の水平方向の範囲内及び垂直方向の範囲内に光源が位置するか判定される際に、前記水平方向の範囲内に光源が含まれると判定される場合であっても、前記垂直方向の範囲内に光源が含まれないと判定された場合には、前記所定位置から撮像するように制御される、
ことを特徴とする飛行体。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
所定位置から所定の撮影範囲を撮像するために情報処理装置により飛行体を制御する撮像方法であって、
前記情報処理装置の判定部により、前記所定の撮影範囲内の水平方向の範囲内及び垂直方向の範囲内に光源が位置するか判定をする判定ステップを含み、
前記判定ステップにおいて、少なくとも前記水平方向の範囲内に光源が含まれると判定され、前記垂直方向の範囲内に光源が含まれないと判定される場合を含む、水平方向の範囲内及び垂直方向の何れかの範囲内に光源が位置しないと判定される場合には、前記所定位置から撮像するように飛行体を制御する制御ステップと、を含む、
ことを特徴とする撮像方法。
【請求項２】
請求項１に記載の撮像方法であって、
前記判定ステップにおいて、少なくとも前記水平方向及び垂直方向の両範囲内に前記光源が位置すると判定された場合には、撮影条件情報の少なくとも一部を変更する撮影条件変更ステップをさらに含む、
ことを特徴とする撮像方法。
【請求項３】
請求項１または２に記載の撮像方法であって、
前記判定ステップにおいて、前記水平方向及び垂直方向の範囲内に前記光源が位置すると判定された場合には、前記情報処理装置はユーザに対して警告を出力する、
ことを特徴とする撮像方法。
【請求項４】
請求項１乃至３のいずれかに記載の撮像方法であって、
前記光源は、光を発する人工物であり、
前記判定ステップは、
前記人工物が光を発するまたは光を発しない時間帯を示す時間帯情報を取得するステップと、
前記時間帯情報に基づき、前記飛行体が飛行する時間帯が、前記人工物が光を発するまたは光を発しない時間帯内に含まれるかどうかを判定する光判定ステップと、を含む、
ことを特徴とする撮像方法。
【請求項５】
請求項１乃至４のいずれかに記載の撮像方法であって、
前記光源は、太陽であり、
前記判定ステップは、
前記所定の位置が位置する地域の天候情報を取得するステップと、
前記天候情報に基づき、前記太陽が現れる天気または前記太陽が現れない天気の時間帯情報を取得するステップと、
前記太陽が現れる天気または前記太陽が現れない天気の時間帯情報に基づき、前記飛行体が飛行する時間帯が、前記太陽が現れる天気または前記太陽が現れない天気の時間帯内に含まれるかどうかを判定する太陽判定ステップと、を含む、
ことを特徴とする撮像方法。
【請求項６】
所定位置から所定の撮影範囲を撮像するために飛行体を制御する情報処理装置であって、
前記情報処理装置は、
前記所定の撮影範囲内の水平方向の範囲内及び垂直方向の範囲内に光源が位置するか判定する判定部を備え、
前記判定部により、少なくとも前記水平方向の範囲内に光源が含まれると判定され、前記垂直方向の範囲内に光源が含まれないと判定される場合を含む、水平方向の範囲内及び垂直方向の何れかの範囲内に光源が位置しないと判定される場合には、前記所定位置から撮像するように飛行体を制御する、
ことを特徴とする情報処理装置。
【請求項７】
所定位置から所定の撮影範囲を撮像するために飛行体を制御する情報処理装置用のプログラムであって、
前記情報処理装置を、
前記所定の撮影範囲内の水平方向の範囲内及び垂直方向の範囲内に光源が位置するか判定する判定部として機能させるプログラムであって、
前記判定部により、少なくとも前記水平方向の範囲内に光源が含まれると判定され、前記垂直方向の範囲内に光源が含まれないと判定される場合を含む、水平方向の範囲内及び垂直方向の何れかの範囲内に光源が位置しないと判定される場合には、前記所定位置から撮像するように飛行体を制御する、
ことを特徴とするプログラム。
【請求項８】
所定位置から所定の撮影範囲を撮像するために情報処理装置により制御される飛行体であって、
前記情報処理装置の判定部により前記所定の撮影範囲内の水平方向の範囲内及び垂直方向の範囲内に光源が位置するか判定される際に、少なくとも前記水平方向の範囲内に光源が含まれると判定され、前記垂直方向の範囲内に光源が含まれないと判定される場合を含む、水平方向の範囲内及び垂直方向の何れかの範囲内に光源が位置しないと判定される場合には、前記所定位置から撮像するように制御される、
ことを特徴とする飛行体。
【国際調査報告】
2021124579.tif 000016
2021124579.tif 000017
2021124579.tif 000018
2021124579.tif 000019